(57)【特許請求の範囲】
【請求項１】
空気を取り入れる吸込口と、
前記吸込口から取り入れた空気を圧縮して高圧空気を発生させる高圧空気発生手段と、
前記高圧空気を吹出す吹出口と、
前記吸込口と前記高圧空気発生手段と前記吹出口とを連通する第一風路と、
前記吹出口から吹出す空気に誘引されて空気を吸込む複数の誘引空気吸込口と、
複数の前記誘引空気吸込口から吸込まれた空気を混合する誘引空気混合部と、
前記吹出口の内側において、前記誘引空気混合部にて混合された空気を吹出す誘引空気吹出口と、
前記第一風路を貫通して設けられ、前記誘引空気吸込口と前記誘引空気混合部と前記誘引空気吹出口とを連通する第二風路と、
前記誘引空気吹出口の内側において、前記高圧空気を吹出す内側吹出口と、
前記高圧空気発生手段と前記内側吹出口とを連通する第三風路と、
前記誘引空気吸込口と対向する位置に側面を有し、前記誘引空気混合部に向かって隆起する台座部とを備え、
前記内側吹出口は、前記台座部の頂上部に備えられ前記頂上部にて周回させて設けたスリットである送風装置。
【請求項２】
前記台座部は、前記誘引空気吸込口から吸い込まれた誘引空気の流れる方向を、当該台座部の前記側面に沿って流れる方向に変化させる請求項１に記載の送風装置。
【請求項３】
前記内側吹出口からの高圧空気の吹出し方向が、前記吹出口を構成する吹出口平面に対して前記頂上部の中心方向に傾斜させた請求項１または２に記載の送風装置。
【請求項４】
前記内側吹出口からの高圧空気の吹出し方向が、前記吹出口を構成する吹出口平面に対して前記頂上部の外周方向に傾斜させた請求項１または２に記載の送風装置。
【請求項５】
前記吹出口を構成する吹出口平面上に前記内側吹出口を備えた請求項１〜４のいずれか１項に記載の送風装置。
【請求項６】
前記内側吹出口から吹出す高圧空気の流量を調節する調節手段を備えた請求項１〜５のいずれか１項に記載の送風装置。
【発明の詳細な説明】
【技術分野】
【０００１】
本発明は、例えば、送風により清涼感を与えたり空間内の空気循環を促したりする送風装置に関するものである。
【背景技術】
【０００２】
従来、この種の送風装置は、羽根車とモータを台座となる基部に内包して、基部上部に備えられた円環形状の送風部から床面と水平方向に吹出すようにて空気の循環及び空気の流れを生じさせる家庭用送風装置が知られている（例えば、特許文献１参照）。
【０００３】
以下、その送風装置について図１１および図１２を参照しながら説明する。
【０００４】
図１１は、送風機組立体１００をその正面から見た投影図を、図１２は、送風機組立体１００の断面投影図を示している。送風機組立体１００は、中央開口部１０２を画定している環状ノズル１０１を有している。環状ノズル１０１を通る空気流を生じさせるモータ１２２がモータハウジング１２６と共に基部１１６の内部に配置されている。さらに、インペラ（羽根車）１３０が、モータ１２２から外方に延びる回転シャフトに連結され、ディフューザ１３２が、インペラ１３０の下流側に位置決めされている。モータ１２２は、電気接続部及び電源に接続され、複数個の選択ボタン１２０により、ユーザは、送風機組立体１００を操作することができる。
【０００５】
上記構成で、上述した送風機組立体１００は、以下のように動作する。
ユーザが複数個の選択ボタン１２０の中から適当に選択してモータ１２２が駆動される。かくして、モータ１２２が起動され、空気が空気入口１２４を介して送風機組立体１００内に吸い込まれる。空気は、外側ケーシング１１８を通り、インペラ１３０の入口１３４まで流れる。ディフューザ１３２の出口１３６及びインペラ１３０の排気部を出た空気流は、内部通路１１０を通って互いに逆の方向に進む２つの空気流に分けられる。
【０００６】
空気流は、これが口１１２に入る際に絞られ、そして口１１２の出口１４４のところで更に絞られる。この絞りにより、システム中に圧力が生じる。
【０００７】
このように作られた空気流は、絞りにより生じる圧力に打ち勝ち、空気流は、一次空気流として出口１４４を通って出る。一次空気流は、ガイド部分１４８の配置により、ユーザに向かって集中し又は集束して向けられる。二次空気流は、外部環境、特に出口１４４周りの領域及び環状ノズル１０１の外縁部周りからの空気の同伴によって生じる。この二次空気流は、中央開口部１０２を通り、ここで、一次空気流と混ざり合って送風機組立体１００から前方に放出される全空気流が生じる。
【先行技術文献】
【特許文献】
【０００８】
【特許文献１】特開２０１０−０７７９６９号公報
【発明の概要】
【発明が解決しようとする課題】
【０００９】
このような従来の送風装置は、中央開口部１０２の面積を小さくすると、十分な誘引風量が得られないため出口１４４周辺の二次空気流の上流側領域の負圧が強くなる。これによって、出口１４４から排出された一次空気流は同領域に向けて逆流してしまい一次空気流の流量が減少してしまう。そしてそれに伴って一次空気流の同伴によって生じる二次空気流の発生も抑制されてしまう。その結果、使用者が十分な風量を享受できなくなってしまうという課題があった。
【００１０】
そこで本発明は、上記従来の課題を解決するものであり、小型化した場合であっても十分な風量を得られる送風装置を提供することを目的とするものである。
【課題を解決するための手段】
【００１１】
本発明は、空気を取り入れる吸込口と、前記吸込口から取り入れた空気を圧縮して高圧空気を発生させる高圧空気発生手段と、前記高圧空気を吹出す吹出口と、前記吸込口と前記高圧空気発生手段と前記吹出口とを連通する第一風路と、前記吹出口から吹出す空気に誘引されて空気を吸込む複数の誘引空気吸込口と、複数の前記誘引空気吸込口から吸込まれた空気を混合する誘引空気混合部と、前記誘引空気混合部にて混合された空気を吹出す誘引空気吹出口と、前記誘引空気吸込口と前記誘引空気混合部と前記誘引空気吹出口とを連通する第二風路と、前記吹出口の内側にて前記高圧空気を吹出す内側吹出口と、前記高圧空気発生手段と前記内側吹出口とを連通する第三風路とを備えた送風装置であり、これにより所期の目的を達成するものである。
【発明の効果】
【００１２】
本発明によれば、小型化した場合であっても十分な風量を得られる送風装置を提供することができる。
【図面の簡単な説明】
【００１３】
【図１】本発明の実施の形態１の送風装置を示す斜視図
【図２】本発明の実施の形態１の送風装置を示す上面図
【図３】本発明の実施の形態１の送風装置を示す断面図
【図４】（ａ）内側吹出口が無い場合の送風装置の吹出風の流れ模式図、（ｂ）内側吹出口が有る場合の送風装置の吹出風の流れ模式図
【図５】本発明の実施の形態２のカバーを装着していない状態の送風装置を示す斜視図
【図６】本発明の実施の形態２のカバーを示す斜視図
【図７】本発明の実施の形態２のカバーを示す断面図
【図８】本発明の実施の形態２のカバーを装着した送風装置を示す斜視図
【図９】本発明の実施の形態２のカバーを装着した送風装置を示す断面図
【図１０】本発明の送風装置の変形例を示す断面図
【図１１】従来技術の一例を示す正面図
【図１２】従来技術の一例を示す断面図
【発明を実施するための形態】
【００１４】
本発明に係る送風装置は、空気を取り入れる吸込口と、前記吸込口から取り入れた空気を圧縮して高圧空気を発生させる高圧空気発生手段と、前記高圧空気を吹出す吹出口と、前記吸込口と前記高圧空気発生手段と前記吹出口とを連通する第一風路と、前記吹出口から吹出す空気に誘引されて空気を吸込む複数の誘引空気吸込口と、複数の前記誘引空気吸込口から吸込まれた空気を混合する誘引空気混合部と、前記誘引空気混合部にて混合された空気を吹出す誘引空気吹出口と、前記誘引空気吸込口と前記誘引空気混合部と前記誘引空気吹出口とを連通する第二風路と、前記吹出口の内側にて前記高圧空気を吹出す内側吹出口と、前記高圧空気発生手段と前記内側吹出口とを連通する第三風路とを備えた送風装置である。
【００１５】
これにより、送風装置の小型化や誘引空気吸込口の形状の変更などの影響によって誘引空気吸込口の面積が小さくなったときにも、十分な風量を得ることができる。
【００１６】
また、本発明に係る送風装置は、前記吹出口の内側に前記誘引空気吹出口を備え、前記誘引空気吹出口の内側に前記内側吹出口を備えてもよい。これにより、誘引気流を効率的に発生させて渦領域を抑制する為、更に多くの風量を得ることが可能となる。
【００１７】
また、本発明に係る送風装置は、前記内側吹出口は、前記誘引空気混合部に向かって隆起した台座部の頂上部に備えられ前記頂上部にて周回させて設けたスリットにしてもよい。これにより、誘引気流を効率的に発生させるため、更に多くの風量を得ることが可能となる。
【００１８】
また、本発明に係る送風装置は、前記内側吹出口からの高圧空気の吹出し方向を、前記吹出口を構成する吹出口平面に対して前記頂上部の中心方向に傾斜させてもよい。これにより、渦領域をより狭い範囲に抑制するため、更に多くの風量を得ることが可能となる。
【００１９】
また、本発明に係る送風装置は、前記内側吹出口からの高圧空気の吹出し方向を、前記吹出口を構成する吹出口平面に対して前記頂上部の外周方向に傾斜させてもよい。これにより、誘引空気および高圧空気を送風方向に持ち上げることができるため、更に多くの風量を得ることが可能となる。
【００２０】
また、本発明に係る送風装置は、前記吹出口を構成する吹出口平面上に前記内側吹出口を備えてもよい。これにより、誘引空気および高圧空気をより下流で送風方向に持ち上げることができるため、更に多くの風量を得ることが可能となる。
【００２１】
また、本発明に係る送風装置は、記内側吹出口から吹出す高圧空気の流量を調節する調節手段を備えてもよい。これにより、使用者が吹出風の性質を容易に変更することが可能となる。
【００２２】
以下、添付図面を参照して、本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して説明を省略している。さらに、各図面において、本発明に直接には関係しない各部の詳細については説明を省略している。
【００２３】
（実施の形態１）
以下、本発明の実施の形態１について、図１から図４を参照しながらその構成の詳細を説明する。
【００２４】
図１は送風装置１１の斜視図であり、図２は送風装置１１の上面図である。
【００２５】
図１および図２に示すように、送風装置１１は円筒状の筐体１と副筐体２と台座部１８とから構成されている。
【００２６】
筐体１には吹出口１３、誘引空気吸込口１４、誘引空気混合部１５、および誘引空気吹出口１６が設けられている。
【００２７】
吹出口１３は、円筒形の筐体１の天面側に、当該天面の周縁部に沿って環状スリット状に設けられている。また吹出口１３による空気の吹出し方向は、円筒形を構成する２つの円盤を結ぶ中心軸に平行な方向である。
【００２８】
誘引空気吸込口１４は、送風装置１１の筐体１の側面に隣接して設けられた６つの略長方形の開口部である。
【００２９】
誘引空気混合部１５は、連通する複数の誘引空気吸込口１４から流入した空気を混合する領域であり、筐体１の内部空間に同円筒状の空間として設けられている。
【００３０】
誘引空気吹出口１６は、吹出口１３における円形天面内側に備えられる。ここで内側とは、吹出口１３を構成する平面において、外周縁部を基準にして吹出口１３の中心側を意味する。つまり、誘引空気吹出口１６は、その外周に吹出口１３を備えている。そして誘引空気吹出口１６は、前記誘引空気混合部１５と連通しており、結果として、誘引空気吸込口１４と誘引空気混合部１５と誘引空気吹出口１６がこの順で連通されている。
【００３１】
副筐体２は、筐体１よりも径の小さい円筒形をしており、その天面が筐体１の底面と接続され、側面部に吸込口１２が設けられた中空形状をしている。吸込口１２は、スリット状に形成された同一形状の開口部を副筐体２の周方向及び中心軸方向にそれぞれ複数個隣接させて構成されている。
【００３２】
台座部１８は、筐体１の底面（副筐体２の天面）から誘引空気混合部１５に向かって隆起して円筒状に形成されている。台座部１８の吹出口１３側の頂上部には、当該頂上部の周縁を周回させた４個のスリットとして形成された内側吹出口１７が備えられている。台座部１８の頂上部の直径は、筐体１の天面の直径よりも小さく、即ち頂上部に備えられた
内側吹出口１７は吹出口１３の内側に位置する。続いて、送風装置１１の内部構造について説明する。なお図３は送風装置１１の断面図である。
【００３３】
図３に示すように、筐体１の底面側には高圧空気発生手段１９が設けられている。高圧空気発生手段１９は、羽根車２０および羽根車２０に接続されたモータ２１を備える。モータ２１は台座部１８の内部空洞に備えられ、羽根車２０はモータ２１を基準にして副筐体２側、即ち後述する送風方向とは逆側に備えられている。
【００３４】
羽根車２０のさらに副筐体２側には、吸込口１２に連通する開口部５０が設けられており、高圧空気発生手段１９がモータ２１を稼動して羽根車２０を回転させることで、吸込口１２から開口部５０を介して取り入れた空気を圧縮し、高圧空気２２を発生させる。
【００３５】
また図３に示すように、送風装置１１には第一風路、第二風路、第三風路の３つの風路が備えられている。第一風路は、吸込口１２から羽根車２０を経由して吹出口１３まで連通する風路である。つまり、図３において、高圧空気２２の流れを示す風路であって、送風装置１１内の部分が第一風路となる。
【００３６】
第二風路は、誘引空気吸込口１４から誘引空気混合部１５を経由して誘引空気吹出口１６まで連通する風路である。誘引空気２３は、吹出口１３から排出される高圧空気２２に誘引されて誘引空気吸込口１４から送風装置１１内に取り入れられる。そして誘引空気２３は、第二風路を流れ、誘引空気吹出口１６から排出される。つまり、図３において、誘引空気２３の流れを示す風路であって、送風装置内の部分が第二風路となる。
【００３７】
第三風路は、羽根車２０の裏面（吹出口１３側の面）からモータ２１の側面を経由して内側吹出口１７まで連通する風路である。
【００３８】
高圧分岐空気２４は、羽根車２０の出口で高圧空気２２から分岐した空気であり、前記第三風路を流れ内側吹出口１７から排出される。つまり、図３において、高圧分岐空気２４の流れを示す風路であって、送風装置１１内の部分が第三風路となる。
【００３９】
以上が送風装置１１の主要部の構造である。
【００４０】
続いて、図３を用いて送風装置１１の動作時における各部の動作を説明する。
【００４１】
モータ２１に給電することでモータ２１の回転軸が回転する。なお給電は、例えば図示しない電源コードの先に接続されたコンセントから行われ、あるいは内蔵するバッテリーによって行われる。
【００４２】
モータ２１の回転軸が回転すると、該回転軸に接続された羽根車２０が回転する。羽根車２０が回転すると、羽根車２０の内部あるいは周辺の空気が高圧空気となって羽根車２０の回転中心から外周に向かう方向に排出される。排出された高圧空気は、羽根車２０の外周から筐体１の内部空間を通って吹出口１３から吹出される。吹出口１３から空気が吹出されると、副筐体２の内部空間が減圧され、結果として送風装置１１外の空気が吸込口１２から送風装置１１内に吸い込まれる。かくして、前記第一風路を通る高圧空気２２の流れが連続的に発生する。
【００４３】
高圧空気２２は、主に吹出口１３から送風装置１１外に排出されるが、その一部は羽根車２０の外周近傍から分岐する前記第三の風路を通り、高圧分岐空気２４として内側吹出口１７からも吹出される。なお、内側吹出口１７から吹出される高圧分岐空気２４の吹出し方向は高圧空気２２と同様の方向である。
【００４４】
高圧空気２２及び高圧分岐空気２４が吹出されると、この２つの空気に誘引されて誘引空気２３が発生する。発生した誘引空気２３は、誘引空気吸込口１４より吸い込まれ、誘引空気混合部１５にて主に隣接する誘引空気吸込口１４から吸い込まれた誘引空気２３が混合される。
【００４５】
混合された誘引空気２３は、高圧空気２２及び高圧分岐空気２４と略同一方向に向かって放出される。
【００４６】
以上が送風装置１１の動作である。
【００４７】
続いて図４を参照しながら主に内側吹出口１７の役割について説明する。なお図４（ａ）は内側吹出口が無い場合の送風装置の吹出風の流れ模式図、図４（ｂ）は内側吹出口が有る送風装置１１の吹出風の流れ模式図である。
【００４８】
ここで、誘引空気吸込口１４の面積が小さければ小さいほど、誘引風の第二風路への取り込みの抵抗が増加するため、第二風路および第二風路の下流領域に強い負圧領域が形成される。そして、図４（ａ）に示すように内側吹出口が無い場合には、高圧空気２２ａがその負圧領域、つまり筐体１の天面中心方向に向けて急激に偏流してしまう。偏流した一部の高圧空気２２ｂは負圧領域に滞留し、即ち渦領域２５を形成する。渦領域２５では潤滑な空気の流れが発生しないため、誘引空気２３の誘引空気吸込口１４への流入量も抑制されてしまう。その結果、高圧空気２２と誘引空気２３の双方の風量が減少してしまうことで使用者が十分な風量を享受することができなくなってしまう。さらに、筐体１の天面中心方向に向けて偏流するため、送風範囲も狭くなってしまう。
【００４９】
これに対して、上記に示した送風装置１１には内側吹出口１７が設けられている。このため図４（ｂ）に示すように、第三風路を径由して内側吹出口１７から排出された高圧分岐空気２４が、第二風路および第二風路の下流領域において発生する渦領域２５を抑制する。具体的には高圧分岐空気２４が、図４（ａ）にて説明した負圧領域に滞留してしまう高圧空気２２ｂを送風方向に持ち上げる。これにより図４（ａ）に示した高圧空気２２ａは図４（ｂ）に示した高圧空気２２ｄのように吹出口１３における吹出し方向に略平行となる。これによって、図４（ａ）に比較して図４（ｂ）に示すように渦領域２５が非常に小さくなる。そして渦領域２５での負圧が弱まることで高圧空気２２（高圧空気２２ｃと高圧空気２２ｄとの合成風）の偏流を抑制することがでる。それに伴って誘引空気２３の誘引空気吸込口１４への流入量が増加して誘引空気２３を効率的に発生させることが可能になる。その結果、広い範囲に十分な風量の吹出風を実現することが可能になる。
【００５０】
また、本実施の形態では、高圧分岐空気２４はモータ２１の側面を通過しているが、これによって高圧分岐空気２４がモータ２１の側面に当たり、なおかつモータ２１の熱を内側吹出口１７から排出することでモータ２１の温度上昇を抑制することができる。その結果、送風装置１１の長時間使用の下での温度上昇によるモータ２１の性能低下、すなわち送風装置１１全体としての送風性能低下を抑制することができる。つまり、第三風路はモータ２１の一部を径由し、即ちモータ２１に接触させることが望ましい。
【００５１】
また、本実施の形態では、高圧分岐空気２４として羽根車２０の裏面を流れる羽根車２０の漏れ流れを活用しているが、高圧分岐空気２４の発生方法に特に制限は無い。ただし、これによって羽根車２０の裏面と送風装置１１の隙間を調節することで、羽根車２０の漏れ流れすなわち高圧分岐空気２４の風量を調節することが可能になるため、送風装置１１の設計を容易性にすることができる。
【００５２】
また、本実施の形態では、誘引空気混合部１５に向かって隆起した台座部１８を設け、台座部１８内にモータ２１を備えており、これによって羽根車２０の出口から吹出口１３までの距離を短縮している。その結果、送風装置１１の送風方向の厚みの縮小、即ち小型化を果たすことが可能になる。またこれと共に、第一風路の圧力損失を抑制することで羽根車２０を低圧力下で使用することが可能になるため、送風装置１１の消費電力量を軽減でき、即ち省エネルギー性を高めることができる。ただし、台座部１８の有無やモータ２１および羽根車２０の位置に制限は無い。
【００５３】
また、本実施の形態では、台座部１８の頂上部であって該頂上部の外周側に４箇所のスリット状の内側吹出口１７を設けている。内側吹出口１７の形状に特に指定は無いが、備える箇所が台座部１８の外周側であればあるほど高圧空気２２を送風方向に持ち上げる効果が大きく、少ない風量で誘引空気２３の風量を増加させることができる。
【００５４】
また、本実施の形態では、筐体１と副筐体２および台座部１８を円筒状に形成しているが、筐体１と副筐体２および台座部１８の形状に特に制限は無い。
【００５５】
また、本実施の形態では、スリット状に同一形状に複数個の吸込口１２を設けているが、十分な吸込空気量が確保されれば、吸込口１２の面積や形状および個数に特に制限は無い。
【００５６】
また、本実施の形態では、円形のスリット状に吹出口１３を設けているが、吹出口１３の形状に特に制限は無い。ただし、環状に設けることにより効率的な誘引空気２３の発生が期待できる。
【００５７】
また、本実施の形態では、高圧空気発生手段１９として羽根車２０およびモータ２１を設けているが、高圧空気発生手段１９に特に制限は無い。
【００５８】
（実施の形態２）
以下、本発明の実施の形態２について、図５から図９を参照しながらその構成の詳細を説明する。実施の形態２では、内側吹出口１７から吹き出す風量を調節する仕組みについて説明する。なお、図５はカバーを装着していない状態の送風装置の斜視図、図６および図７はそれぞれカバーの斜視図および断面図、図８および図９はそれぞれカバーを装着して内側吹出口を開口させた送風装置の斜視図および断面図である。
【００５９】
図５に示すように、台座部１８の周囲には誘引空気混合部１５に向かって送風装置１１の底面（壁面）から隆起したリング状のカバーストッパー２６が備えられている。カバーストッパー２６は、内周側の一部がくり抜かれて台座部１８と同一円周状に形成され、即ち軸対称性を有する。カバーストッパー２６の内周に後述するカバーを回動可能に装着することで、内側吹出口１７から吹き出す風の風量を調節する。
【００６０】
図６および図７に示すように、カバー２７は３種類の壁面によって構成され軸対称性を有するハット型形状を成しており、外周から中心に向かって平坦壁面２８、隆起壁面２９、頂部壁面３０によって形成されている。隆起壁面２９は平坦壁面２８から垂直に隆起しており、頂部壁面３０はカバー２７の中心軸に向かうよう隆起壁面２９に垂直に接続されている。また、頂部壁面３０には、内側吹出口１７と同一の内径上に同一の面積、形状、個数および間隔を有したカバー側内側吹出口３１が設けられている。
【００６１】
図８および図９に示すように、カバー２７は台座部１８と略同一円心上で、平坦壁面２８がカバーストッパー２６および送風装置１１の壁面によって挟まれて台座部１８を覆うように送風装置１１に装着される。カバー２７と台座部１８およびカバーストッパー２６にはそれぞれ一定の隙間が設けられているため、カバー２７は台座部１８上において回動、即ち回転させてスライドさせることが可能であり、内側吹出口１７とカバー側内側吹出口３１との連通率を調整することが可能になる。ここで連通率とは、内側吹出口１７の開口面積を１００とした場合の、内側吹出口１７とカバー側内側吹出口３１とが重なる面積の比率を示す。つまり連通率１００の場合には内側吹出口１７が塞がれていな状態を示し、連通率０の場合には内側吹出口１７がすべてふさがれており、内側吹出口として機能していない状態となる。
【００６２】
上述した構成において、内側吹出口１７とカバー側内側吹出口３１とが完全に連通した場合（連通率１００）には、渦領域を抑制する。即ち実施の形態１と同様、図４（ｂ）のように、第三風路を径由して内側吹出口１７およびカバー側内側吹出口３１から排出された高圧分岐空気２４が、第二風路および第二風路の下流領域において発生する渦領域２５を抑制するのは上述の通りである。その結果、広い範囲に十分な風量の吹出風を実現することが可能になる。
【００６３】
一方で、内側吹出口１７とカバー側内側吹出口と３１の連通率が低くなればなるほど、第三風路の圧力損失が大きくなり、第三風路を径由して内側吹出口１７およびカバー側内側吹出口３１から排出される高圧分岐空気２４の流量が減少する。これによって、第二風路および第二風路の下流領域に渦領域２５が形成されると共に、高圧空気２２も渦領域２５に引っ張られて送風装置１１の中心軸方向に集まって下流に流れる。その結果、流速を高めた吹出風になる。
【００６４】
つまり、使用者がカバー２７を回転させて内側吹出口１７とカバー側内側吹出口３１との連通率を調整することで、吹出風の性質を容易に変更することが可能となる。
【００６５】
なお、本実施の形態では、台座部１８およびカバー２７の形状を限定しているが、内側吹出口１７から吹き出す風の流量を調節できるのであればどのような形状であってもよい。
【００６６】
また、本実施の形態では、カバー２７の回転を手動で行うように設けているが、カバー２７の可動する範囲および可動方法に特に指定は無い。
【００６７】
（変形例）
上記実施の形態１及び２の変形例を、図１０と共に説明する。
【００６８】
上記実施の形態では、内側吹出口１７からの高圧分岐空気２４の吹出し方向を、送風装置１１の中心軸と平行に設定しているが、図１０（ａ）に示すように、内側吹出口１７ｘを、吹出口１３を構成する吹出口平面に対して台座部１８の頂上部の中心方向に傾斜させてもよい。
【００６９】
これにより、渦領域２５をより狭い範囲に抑制することで、更に多くの風量を得ることが可能となる。
【００７０】
また、図１０（ｂ）に示すように、内側吹出口１７ｙからの高圧分岐空気２４の吹出し方向を、吹出口１３を構成する吹出口平面に対して頂上部の外周方向に傾斜させてもよい。これにより、高圧分岐空気２４が誘引空気２３をより送風方向に持ち上げて、なおかつそれに伴って誘引空気２３も高圧空気２２をより送風方向に持ち上げることができるため、更に多くの風量を得ることが可能となる。
【００７１】
また、上記実施の形態では、内側吹出口１７は吹出口１３を構成する吹出口平面よりも上流側に設けているが、図１０（ｃ）に示すように内側吹出口１７ｚを、吹出口１３を構成する吹出口平面上に備えてもよい。これにより、高圧分岐空気２４が誘引空気２３をより下流で送風方向に持ち上げて、なおかつそれに伴って誘引空気２３も高圧空気２２をより下流で送風方向に持ち上げることができる。それに加えて、高圧分岐空気２４の使用者までの到達距離も短縮することで、更に多くの風量を得ることが可能となる。
【産業上の利用可能性】
【００７２】
本発明にかかる送風装置は、送風装置の小型化が施されたときにも、十分な風量を得られる送風装置を提供することを可能とするものである。
【符号の説明】
【００７３】
１    筐体
２    副筐体
１１  送風装置
１２  吸込口
１３  吹出口
１４  誘引空気吸込口
１５  誘引空気混合部
１６  誘引空気吹出口
１７  内側吹出口
１８  台座部
１９  高圧空気発生手段
２０  羽根車
２１  モータ
２２  高圧空気
２３  誘引空気
２４  高圧分岐空気
２５  渦領域
２６  カバーストッパー
２７  カバー
２８  平坦壁面
２９  隆起壁面
３０  頂部壁面
３１  カバー側内側吹出口
【図１】
0006500215.tif 000002
【図２】
0006500215.tif 000003
【図３】
0006500215.tif 000004
【図４】
0006500215.tif 000005
【図５】
0006500215.tif 000006
【図６】
0006500215.tif 000007
【図７】
0006500215.tif 000008
【図８】
0006500215.tif 000009
【図９】
0006500215.tif 000010
【図１０】
0006500215.tif 000011
【図１１】
0006500215.tif 000012
【図１２】
0006500215.tif 000013